(57)【要約】    【課題】悪戯によって紙幣挿入口が破壊されても装置本体内部を目視し難くするとともに、メインテナンス性を損ねず、且つ安価な紙幣処理装置を提供する。    【解決手段】フロントマスク６内に、紙幣挿入口６ａと連通する紙幣搬送通路を形成するための通路部材７を囲む孔１０ａ，２０ａを形成した第１の板金１０と第２の板金２０とを互いに隣接して配置し、フロントマスク６側に位置する前記第１の板金１０を装置本体４に固着手段３０を介して固定するとともに、第２の板金２０を装置本体４に係合手段４０を介して係合支持させるようにした。  【選択図】  図１
2009134377.tif 000002
【特許請求の範囲】
【請求項１】
紙幣挿入口が形成されたフロントマスクを装置本体に固定するようにした紙幣識別装置において、
前記フロントマスク内に、前記紙幣挿入口と連通する紙幣搬送通路を形成するための通路部材を囲む孔を形成した第１の板金と第２の板金とを互いに隣接して配置し、前記フロントマスク側に位置する前記第１の板金を前記装置本体に固着手段を介して固定するとともに、前記第２の板金を前記装置本体に係合手段を介して係合支持させるようにしたことを特徴とする紙幣識別装置。
【請求項２】
前記固着手段は取り付けネジであり、
前記係合手段は前記装置本体に固定された断面コの字形状の係合部材と、
前記第２の板金に固着され、前記係合部材の断面コの字形状の凹部内に嵌挿する係合金具である
ことを特徴とする請求項１に記載の紙幣識別装置。
【発明の詳細な説明】
【技術分野】
【０００１】
この発明は、自動販売機、券売機等に使用される紙幣識別装置に関し、特に、悪戯等により紙幣識別装置が損傷を受けた際に、紙幣識別装置の内部状態を目視出来ないようにした紙幣識別装置に関する。
【背景技術】
【０００２】
従来の紙幣識別装置では、悪戯等の要因により紙幣挿入口が破壊された際に、紙幣識別装置の内部状況を確認することが出来ないようにするため、紙幣挿入口が形成されたフロントマスクを硬い材質で形成したり、またフロントマスクを補強部材で補強することにより紙幣挿入口の機械的強度を上げるようにしていた。
【０００３】
あるいは、フロントマスクが破壊された際に、装置本体の内部が目視されないよう紙幣識別装置の本体内に板金を配設し、その機械的強度を向上させることが必要であった。
【特許文献１】特開2001-331850
【特許文献２】特開2001-209852
【発明の開示】
【発明が解決しようとする課題】
【０００４】
ところで、紙幣挿入口が形成されたフロントマスクそのものを硬い材質で構成したり、フロントマスクに補強を施して、紙幣挿入口そのそものの強度を上げるようにしたものでは、紙幣識別装置の製造コストが高くなってしまうという問題点がある。
【０００５】
また、紙幣識別装置の装置本体内部に、当該内部が見えないようにするため板金を配置するものにあっては、紙幣挿入口からこの板金の端部までの領域で紙幣詰まり等の問題が発生した場合、同領域を開放してメインテナンスすることが出来ないという問題があった。
【０００６】
本願は上述した課題を解決するため、悪戯によって紙幣挿入口が破壊されても装置本体内部を目視し難くするとともに、メインテナンス性を損ねず、且つ安価な紙幣処理装置を提供することを目的とする。
【課題を解決するための手段】
【０００７】
上述した課題を解決するため、本願発明では、紙幣挿入口が形成されたフロントマスクを装置本体に固定するようにした紙幣識別装置において、前記フロントマスク内に、前記紙幣挿入口と連通する紙幣搬送通路を形成するための通路部材を囲む孔を形成した第１の板金と第２の板金とを互いに隣接して配置し、前記フロントマスク側に位置する前記第１の板金を前記装置本体に固着手段を介して固定するとともに、前記第２の板金を前記装置本体に係合手段を介して係合支持させるようにしたことを特徴としている。
【発明の効果】
【０００８】
上述した紙幣識別装置では、バール等の工具が紙幣挿入口に挿入され、紙幣挿入口を破壊するため上下動すると、同時に第１及び第２の板金も上下動するが、その際、第２の板金は装置本体に係合手段を介して単に係合支持されているだけなので、この係合手段は簡単に破壊されて第２の板金が自重により第１の板金に対して相対的に移動する。これにより第１の板金の紙幣挿入口と連通する孔を第２の板金が塞いで、フロントマスク側から見ると、紙幣挿入口が閉塞された状態となって、外部から紙幣識別装置の装置本体内が目視できない状態となり、紙幣を引き抜く等の悪戯が出来なくなる。
【発明を実施するための最良の形態】
【０００９】
以下、この発明に係る紙幣識別層の一実施例を詳述する。
【００１０】
図１はこの発明に係る紙幣識別装置１の組立て分解斜視図である。
【００１１】
この紙幣識別装置１は、紙幣の真偽を判別する紙幣識別手段を具えた紙幣識別部２および真券と判別された紙幣を収容するスタッカ３等を内部に配設した装置本体４と、この装置本体４の正面４ａに取付けネジ５等により取付け固定されるフロントマスク６とから構成されている。
【００１２】
このフロントマスク６には紙幣挿入口６ａが形成され、この紙幣挿入口６ａは、装置本体４の正面４ａから延設され、挿入紙幣を装置本体４内に案内する紙幣搬送通路を形成する通路部材７に連通している。
【００１３】
一方、上述したフロントマスク６内には、第１の板金１０と第２の板金２０とが互いに隣接して配置されている。そして、この第１の板金１０と第２の板金２０とには、前記紙幣搬送通路を形成するための通路部材７を囲繞する孔１０ａ，２０ａがそれぞれ形成されている。
【００１４】
この第１の板金１０と第２の板金２０のうち、第１の板金１０は、その上端１０ｂがＬ字形状に折れ曲がり、その先端１０ｃが取付けネジ３０等の固着手段３１を介して装置本体４の正面４ａに取付け固定される。
【００１５】
また、第２の板金２０は、その下端２０ｂが係合手段４０を介して装置本体４の正面４ａに係合支持されている。
【００１６】
この係合手段４０は、装置本体４に捩子４１により固定された断面コの字形状の係合部材４２と、前記第２の板金２０の下端にネジ４３により固着され、前記係合部材４２の断面コの字形状の凹部内に嵌挿する平面が略コの字形状の係合金具４４とから構成されている。
【００１７】
そして、上述した係合手段４０の係合金具４４を係合部材４２の凹部内に嵌挿させて係合させると、フロントマスク６の要部断面図で示す図２のように紙幣識別装置１の組立が完了する。
【００１８】
なお、図２で示すように、第１の板金１０と第２の板金２０の各孔１０ａ，２０ａは、紙幣搬送通路を形成するための通路部材７を囲繞するように配設されているので、紙幣挿入口６ａ及び通路部材７の機械的強度は、この第１の板金１０と第２の板金２０の各孔１０ａ，２０ａにより、その向上が図られている。
【００１９】
次に上述した紙幣識別装置１の作用を説明し、併せて構成をより詳細に説明する。
【００２０】
図３で示すように、紙幣挿入口６ａの破壊を目的に、フロントマスク６の紙幣挿入口６ａから、バール５０等の工具が挿入され、当該バール５０が矢印Ａのように押されてこじられると、図４で示すように、第１の板金１０はその上端がネジ３０により、装置本体４の正面４ａに固着されているので、機械的強度は強くその場に留まるが、第２の板金２０は、下端が装置本体４の正面４に係合手段４０により係合支持されているだけなので、バール５０の下動により矢印のように下降する。
【００２１】
このように、第２の板金２０が下降すると係合手段４０の係合金具４４が係合部材４２の凹部を押し広げて当該係合部材４２を変形させる。
【００２２】
このように、第２の板金２０が下降し、係合金具４４が係合部材４２の凹部を押し広げて当該係合部材４２を変形させると、図５で示すように、第２の板金２０の係合金具４４が係合部材４２の凹部内から脱落し、第２の板金２０は押し下げられ落下することとなる。
【００２３】
この状態によると、第１の板金１０の孔１０ａと第２の板金２０の孔２０ａとの位置が相対的にずれ、これにより第２の板金２０が第１の板金１０の孔１０ａ及び紙幣挿入口６ａを覆うこととなるので、フロントマスク６側からみると、装置本体４内が目視し難い状態となる。
【００２４】
従って、フロントマスク６の紙幣挿入口６ａから紙幣識別装置１の装置本体４内が目視できない状態となり、装置本体４内の紙幣を引き抜く等の悪戯が出来なくなる。
【００２５】
なお、上記実施例では、図２で示すように、第１の板金１０の先端を取付けネジ３０により装置本体４の正面４ａに固着するようにしたが、図２と同一部分を同一符号で示す図６のように、フロントマスク６の背面に突設されたボス６ｄに、第１の板金１０に形成された孔１０ｄを嵌挿させて、第１の板金１０をフロントマスク６の背面に支持させるようにしてもよい。
【００２６】
この場合も、紙幣挿入口６ａ側にバール５０等を差し込まれてこじられた場合に、第１の板金１０はそのままその場に留まるが、第２の板金２０はバール５０の力により容易に押し下げられるため、両板金の孔１０ａ，２０ａの位置がずれて装置本体４の内部が目視し難い状態となる。
【産業上の利用可能性】
【００２７】
以上説明したように、本願発明は、悪戯によって紙幣挿入口が破壊されても装置本体内部を目視し難くするとともに、メインテナンス性を損ねず、且つ安価な紙幣処理装置に適している。
【図面の簡単な説明】
【００２８】
【図１】本願発明に係る紙幣識別装置の組立て分解斜視図。
【図２】図２はフロントマスクの内部を示す要部断面図。
【図３】図３は、本願発明に係る紙幣識別装置の作用を示すフロントマスクの要部断面図。
【図４】図４は、本願発明に係る紙幣識別装置の作用を示すフロントマスクの要部断面図。
【図５】図５は、本願発明に係る紙幣識別装置の作用を示すフロントマスクの要部断面図。
【図６】図６は本願発明に係る紙幣識別装置の他の実施例を示すフロントマスクの要部断面図。
【符号の説明】
【００２９】
１…紙幣識別装置
４…装置本体
６ａ…紙幣挿入口
６…フロントマスク
７…通路部材
１０…第１の板金
２０…第２の板金
１０ａ，２０ｂ…孔
４０…係合手段
４２…係合部材
４４…係合金具
【図１】
2009134377.tif 000003
【図２】
2009134377.tif 000004
【図３】
2009134377.tif 000005
【図４】
2009134377.tif 000006
【図５】
2009134377.tif 000007
【図６】
2009134377.tif 000008